(57)【要約】【課題】原水容器内の飲料水の安全性を確保することが可能なウォーターサーバーを提供する。【解決手段】筐体２の上部に位置する天板９に交換式の原水容器２０が載置される容器ホルダ３が設けられ、容器ホルダ３上の原水容器２０を覆うカバー２２を有し、カバー２２はその前側下部に貫通孔３１を有し、天板９は、カバー２２の内側の前側部分にねじ結合される係合部としてのアイボルト３３を有し、外部からカバー２２の貫通孔３１にロック部材としての南京錠４０が挿通され、南京錠４０がアイボルト３３に係合することで、カバー２２が原水容器２０を覆う状態に保持されるようにした。【選択図】図１
2019210011.tif 000002
【特許請求の範囲】
【請求項１】
上下方向に延びる筒部（８）と、その筒部（８）の上部を塞ぐ天板（９）とを有する筐体（２）と、
前記天板（９）に設けられ、交換式の原水容器（２０）が載置される容器ホルダ（３）と、
前記筐体（２）の内部に収容された冷水タンク（４）と、
前記原水容器（２０）内の飲料水の自重により前記原水容器（２０）から前記冷水タンク（４）内に飲料水を導入する原水導入管（５）と、
前記冷水タンク（４）内の飲料水を冷却する冷却装置（６）と、
前記冷水タンク（４）内の飲料水を前記筐体（２）の外部に注出する冷水注出管（７）と、を有するウォーターサーバーにおいて、
前記容器ホルダ（３）に載置される前記原水容器（２０）を覆うカバー（２２）を有し、前記カバー（２２）は貫通孔（３１）を有し、前記天板（９）は前記カバー（２２）の内側に設けられる係合部を有し、
前記係合部は、外部から前記カバー（２２）の貫通孔（３１）に挿通されるロック部材（４０）が係合可能な位置にあり、前記カバー（２２）は、前記係合部に係合する前記ロック部材（４０）により、前記原水容器（２０）を覆う状態に保持されるようにしたことを特徴とするウォーターサーバー。
【請求項２】
前記カバー（２２）の貫通孔（３１）および前記天板（９）の係合部が前側に位置し、前記カバー（２２）は、後側下端部が前記原水容器（２０）を覆う姿勢で、前記天板（９）に対して係合し、前側下端部が後側下端部よりも高位となる状態に傾く姿勢で、前記天板（９）に対して取り外し可能となるものであることを特徴とする請求項１に記載されたウォーターサーバー。
【請求項３】
前記係合部が、前記天板（９）にねじ結合され、前記ロック部材（４０）が係合する環状部（３３ａ）を有するボルト（３３）であり、前記ボルト（３３）は、その環状部（３３ａ）が前記ロック部材（４０）を係合するようになっていることを特徴とする請求項１または２に記載されたウォーターサーバー。
【請求項４】
前記カバー（２２）は、前記貫通孔（３１）に連通する上下方向に延びるスリット（３２）を有し、前記ボルト（３３）の環状部（３３ａ）の一部が前記スリット（３２）から外部に突き出す状態になっていることを特徴とする請求項３に記載されたウォーターサーバー。
【請求項５】
前記天板（９）は上方に突出する台座部（９ａ）を有し、前記台座部（９ａ）に前記容器ホルダ（３）が設けられ、前記カバー（２２）が前記原水容器（２０）を覆う状態で、前記カバー（２２）の下端縁部が前記台座部（９ａ）の周囲に位置している請求項１乃至４のいずれかに記載されたウォーターサーバー。
【発明の詳細な説明】
【技術分野】
【０００１】
この発明は、原水容器内に充填されている飲料水の安全性を確保することができるウォーターサーバーに関する。
【背景技術】
【０００２】
従来、主にオフィスや病院などでウォーターサーバーが利用されており、近年、多くの顧客が集まるショッピングモールのフードコートや各種飲食店にもウォーターサーバーが普及しつつある。
【０００３】
ウォーターサーバーは、通常、筐体と、その筐体の内部に収容された冷水タンクおよび温水タンクと、冷水タンク内の飲料水を冷却する冷却装置と、温水タンク内の飲料水を加熱する加熱装置と、筐体の前面側に配置された冷水蛇口および温水蛇口と、冷水タンクと冷水蛇口の間を連通する冷水注出路と、温水タンクと温水蛇口の間を連通する温水注出路とを有する（特許文献１参照）。
【０００４】
また、ウォーターサーバーは、筐体の天板に着脱可能に接続される交換式の原水容器と、筐体の上部に載置され、原水容器を覆うカバーとを備え、原水容器が内部の飲料水の減少に伴って収縮する柔軟な素材から形成され、原水容器内の飲料水が冷水タンク内へ導かれるようになっている。
【０００５】
ウォーターサーバーをショッピングモールのフードコートや各種飲食店等に設置すると、飲料水をいつでも利用することができて便利である。その反面、多くの顧客が利用することから、飲料水の安全性を十分に確保する必要がある。
【０００６】
このウォーターサーバーのカバーは、原水容器を覆うために筐体の天板上に載置され、天板に対して容易に取り外しができるものであり、原水容器は、柔軟な素材から形成されている。このため、悪意のある者により、カバーを持ち上げて、筐体とのすき間から、あるいは、カバーを取り外して、注射器等の器具を使用して原水容器内へ液状の異物、毒物等を混入することが可能であった。このような行為が可能なことから、上記ウォーターサーバーは、原水容器内の飲料水の安全性の確保が難しいものとなっていた。
【先行技術文献】
【特許文献】
【０００７】
【特許文献１】特開２０１５−２０２８９１号公報
【発明の概要】
【発明が解決しようとする課題】
【０００８】
この発明が解決しようとする課題は、原水容器内の飲料水の安全性を確保することが可能なウォーターサーバーを提供することである。
【課題を解決するための手段】
【０００９】
上記の課題を解決するために、この発明は、
上下方向に延びる筒部と、その筒部の上部を塞ぐ天板とを有する筐体と、前記天板に設けられ、交換式の原水容器が載置される容器ホルダと、前記筐体の内部に収容された冷水タンクと、前記原水容器内の飲料水の自重により前記原水容器から前記冷水タンク内に飲料水を導入する原水導入管と、前記冷水タンク内の飲料水を冷却する冷却装置と、前記冷水タンク内の飲料水を前記筐体の外部に注出する冷水注出管とを有するウォーターサーバーにおいて、
前記容器ホルダに載置される前記原水容器を覆うカバーを有し、前記カバーは貫通孔を有し、前記天板は前記カバーの内側に設けられる係合部を有し、前記係合部は、外部から前記カバーの貫通孔に挿通されるロック部材が係合可能な位置にあり、前記カバーは、前記係合部に係合する前記ロック部材により、前記原水容器を覆う状態に保持されるようにした構成を採用することができる。
【００１０】
この構成では、外部からカバーの貫通孔に挿通され、天板の係合部にロック部材が係止されると、ロック部材により、容器ホルダに載置される原水容器がカバーにより覆われる状態で保持されて、筐体からのカバーの取り外しができなくなる。
【００１１】
前記カバーの貫通孔および前記天板の係合部が前側に位置し、前記カバーは、後側下端部が前記原水容器を覆う姿勢で前記天板に対して係合し、前側下端部が後側下端部よりも高位となる状態に傾く姿勢で前記天板に対して取り外し可能となるものである構成を採用することができる。
【００１２】
この構成によると、カバーの前側で係合部にロック部材を係合して、原水容器を覆う状態に保持されると、カバーはその前側および後側で天板に対して係合される。
【００１３】
前記係合部が、前記天板にねじ結合され、前記ロック部材が係合する環状部を有するボルトであり、前記ボルトは、その環状部が前記ロック部材を係合するようになっている構成を採用することができる。
【００１４】
この構成では、係合部が環状部を有するボルトであるので、ボルトの環状部にロック部材を容易に係合することができる。また、原水容器をカバーにより覆う状態で保持する必要がない場合、例えば、ウォーターサーバーを一般家庭で使用する場合、ボルトを天板から取り外して、カバーを天板上に載置しておけばよい。
【００１５】
前記カバーは、前記貫通孔に連通する上下方向に延びるスリットを有し、前記ボルトの環状部の一部が前記スリットから外部に突き出す状態になっている構成を採用することができる。
【００１６】
この構成では、スリットから外部に突き出すボルトの環状部の一部にロック部材が係合し、そのロック部材はカバーの外部に露出する状態となる。
【００１７】
前記天板は上方に突出する台座部を有し、前記台座部に前記容器ホルダが設けられ、前記カバーが前記原水容器を覆う状態で、前記カバーの下端縁部が前記台座部の周囲に位置している構成を採用することができる。
【００１８】
この構成では、カバーが原水容器を覆う状態では、載置される原水容器は、天板よりも高い位置にある台座部の容器ホルダに原水容器が載置されている。この台座部により、天板とカバーのすき間から注射器等を使用して原水容器内へ異物、毒物等を混入することができない。
【発明の効果】
【００１９】
この発明は、外部からカバーの貫通孔に挿通し、天板の係合部に係止するロック部材により、容器ホルダに載置される原水容器がカバーにより覆われる状態で保持される。このため、筐体からのカバーの取り外しができなくなり、原水容器内への異物の混入が防止され、原水容器内の飲料水の安全性を確保することができる。
【図面の簡単な説明】
【００２０】
【図１】この発明に係る実施形態のウォーターサーバーを示す縦断面図
【図２】同上のウォーターサーバーを示す斜視図
【図３】同上の天板とカバーとを示す拡大縦断面図
【図４】同上の天板とカバーの後側を示す拡大斜視図
【図５】（ａ）同上のカバーと天板との後側での係合前の状態を示す断面図、（ｂ）同上のカバーと天板との後側での係合状態を示す断面図
【図６】（ａ）同上のロック部材と係合部との係合状態を示す平面図、（ｂ）同上のロック部材と係合部との係合状態を示す正面図、（ｃ）同上のロック部材と係合部との係合状態を示す縦断面図
【図７】（ａ）同上のロック部材と係合部との他の係合状態を示す平面図、（ｂ）同上のロック部材と係合部との他の係合状態を示す正面図、（ｃ）同上のロック部材と係合部との他の係合状態を示す縦断面図
【発明を実施するための形態】
【００２１】
以下、この発明に係る実施形態のウォーターサーバー１を図面に基づいて説明する。このウォーターサーバー１は、図１、２に示すように、水平な床面に載置された筐体２と、筐体２の上部に設けられ、交換式の原水容器２０が載置される容器ホルダ３と、筐体２の内部に収容された冷水タンク４と、原水容器２０内の飲料水の自重により原水容器２０から冷水タンク４内に飲料水を導入する原水導入管５と、冷水タンク４内の飲料水を冷却する冷却装置６と、冷水タンク４内の飲料水を筐体２の外部に注出する冷水注出管７と、を有するものである。
【００２２】
筐体２は、上下方向に延びる筒部８と、筒部の上端を塞ぐように設けられた天板９と、筒部８の下端を塞ぐように設けられた底板１０とを有する。筒部８は、左右一対の側面板１１と、側面板１１の上側前縁同士を連結する前面板１２と、側面板１１の後縁同士を連結する後面板１３とで構成されている。
【００２３】
筐体２は、筒部８の前面板１２の上部で開口し、後方に向かって凹んで形成される注出凹部１４を有する。注出凹部１４は、その内部に突き出す状態に冷水注出管７のコック２６が取り付けられている。
【００２４】
筐体２は、前面板１２の左右方向の一端側（図２中での左端側）に、注出凹部１４の開口を閉塞する上扉１６を有する。上扉１６は、前面板１２の左側の前縁部にヒンジ部１６ａを介して開閉可能に取り付けられる。
【００２５】
筐体２の天板９は、上方に突出する矩形の台座部９ａと、台座部９ａの中央部に設けられる容器ホルダ３とを有する。天板９の前側の左端部寄りの位置に係合部となるアイボルト３３がねじ結合されている。
【００２６】
天板９の台座部９ａは、中央に設けられる容器ホルダ３に向かうに従って、下向きに傾斜するすり鉢状をなし、外周縁部が天板９の外周縁部よりも高位にある。容器ホルダ３は、天板９のうち原水容器２０を保持する部分である。
【００２７】
原水容器２０は、水出口２０ａを下向きにした姿勢で容器ホルダ３に載置される。原水容器２０の容量は、満水状態で１０〜２０リットルの範囲で設定されている。この原水容器２０は、内部の残水量の減少に伴って収縮するように柔軟性をもたせて形成される。
【００２８】
筐体２の天板９には、容器ホルダ３で保持した原水容器２０から筐体２の内部に収容される冷水タンク４に飲料水を導入する原水導入管５が設けられている。原水導入管５の一端は原水容器２０に着脱可能に接続され、原水導入管５の他端は冷水タンク４に固定して接続されている。
【００２９】
原水導入管５の冷水タンク４側の端部には、冷水タンク４内の水位に応じて開閉するフロートバルブ２１が設けられている。筐体２の上部には、原水容器２０を覆うカバー２２が取り付けられている。
【００３０】
冷水タンク４は、内部に収容された飲料水を冷却する冷却装置６が取り付けられている。冷却装置６により、例えば、冷水タンク４内の飲料水を低温（５℃程度）に保つようになっている。
【００３１】
冷水タンク４の底面には、冷水タンク４内の低温の飲料水を筐体２の外部に注出する冷水注出管７が接続されている。冷水注出管７には、筐体２の外部から操作可能なコック２６が設けられ、このコック２６を開くことによって冷水タンク４から低温の飲料水を注出凹部１４内でカップ等に注出できるようになっている。
【００３２】
ここで、コック２６を開いたときに、冷水タンク４内の飲料水がその自重で冷水注出管７を通って水出口７ａから筐体２の外部に注出されるように（すなわちポンプを使用せずに飲料水を移動させることができるように）冷水注出管７の水出口７ａは、冷水タンク４の底面よりも下側に配置されている。冷水タンク４の飲料水の容量は、原水容器２０の容量よりも小さく、２〜４リットル程度である。
【００３３】
図２に示すように、カバー２２は、下方が開口する箱形をなしている。カバー２２の開口縁部は、天板９の台座部９ａの外周縁部よりも一回り大きい矩形をなしている。カバー２２は、後側の開口縁部に対して二箇所に形成された係止爪部３０と、前側下部の左右方向の一端側（図２では左端側）寄りに形成された貫通孔３１とを有する（図３、４参照）。
【００３４】
カバー２２の係止爪部３０は、カバー２２の後側の下端部から後方に延び出し、先端に形成された上向きの爪部を有する。係止爪部３０は、筐体２の天板９の後端部に対して二箇所に形成された係合穴部９ｂの爪部９ｃにそれぞれ係合している。
【００３５】
図５（ａ）に示すように、天板９の係合穴部９ｂは、前方に開口し、その開口縁部の上部に下向きに形成される爪部９ｃを有する。係合穴部９ｂの開口縁部は後面板１３よりも後方に位置し、爪部９ｃは、天板９の上面よりも高位に配置される。
【００３６】
カバー２２の係止爪部３０は、カバー２２が前側の下端部を後側の下端部よりも高位となる状態に傾けられている姿勢で、天板９の係合穴部９ｂ内に挿入可能となっている。係止爪部３０が天板９の係合穴部９ｂ内に挿入される状態で、カバー２２が天板９上に載置されることにより、カバー２２の係止爪部３０の爪部と、係合穴部９ｂの爪部９ｃが係合する（図５（ｂ）参照）。
【００３７】
この係合によって、カバー２２は、天板９上に載置され、原水容器２０を覆う姿勢で天板９の係合穴部９ｂに対して係合し、前側下端部が後側下端部よりも高位となる状態に傾く姿勢で天板９の係合穴部９ｂに対して取り外し可能となる。
【００３８】
図６に示すように、貫通孔３１は、左右方向に延びる長孔状であり、その左右方向の中央部分から上下方向に切り欠かれるスリット３２を有する。カバー２２が容器ホルダ３に載置される原水容器２０を覆う姿勢となる状態で、貫通孔３１は、アイボルト３３の環状部３３ａにおける開口部分の上下方向の範囲内に位置する状態に設けられている。このとき、アイボルト３３の環状部３３ａが左右方向に開口する状態となっている。
【００３９】
また、貫通孔３１は、左右方向中央部分の位置と、天板９に対するアイボルト３３のねじ軸部３３ｂの左右方向の位置とが合致している。スリット３２は、その内部にアイボルト３３の環状部３３ａが入り込み、環状部３３ａの一部（前側部分）がカバー２２の外部に突出する状態となっている。
【００４０】
カバー２２が天板９上に載置され、原水容器２０を覆う姿勢となる状態で、貫通孔３１は、例えば、ロック部材となる南京錠４０のＵ字状のフック部４０ａが挿通し、そのフック部４０ａがアイボルト３３の環状部３３ａに係合する。
【００４１】
この実施形態に係るウォーターサーバー１は、以上のように構成され、カバー２２が天板９上に載置され、原水容器２０を覆う姿勢となる状態で、南京錠４０のフック部４０ａがアイボルト３３の環状部３３ａに係合される。
【００４２】
この係合状態では、南京錠４０により、容器ホルダ３に載置される原水容器２０がカバー２２により覆われる状態で保持されて、筐体２からのカバー２２の取り外しができなくなる。このため、悪意ある者による原水容器２０内への異物、毒物等を混入する等の行為を防止することができる。
【００４３】
また、図６に示すように、スリット３２から外部に突き出すアイボルト３３の環状部３３ａの一部に南京錠４０のフック部４０ａが係合している。このような係合では、南京錠４０の本体部分がカバー２２の外部に露出する状態となる。南京錠４０の本体部分が露出することで、カバー２２の取り外しができない状態であることを視覚的に第三者に訴えることができる。
【００４４】
さらに、カバー２２は、天板９上に載置され、原水容器２０を覆う状態で、その後側下端部の係止爪部３０が、天板９の係合穴部９ｂの爪部９ｃに係合している。この係合状態で、カバー２２の前側でアイボルト３３の環状部３３ａに南京錠４０を係合する。
【００４５】
南京錠４０を係合すると、カバー２２はその前側および後側で天板９に対して係合され、カバー２２の取り外しがより一層困難になる。なお、カバー２２の係止爪部３０および天板９の係合穴部９ｂは、必ずしも設けなくてもよい。カバー２２は、天板９に対して着脱可能に係合されずに、単に、原水容器２０を覆う状態に天板９上に載置するものであってもよい。
【００４６】
また、カバー２２は、天板９上に載置され、原水容器２０を覆う状態で、その下端縁部が台座部９ａの周囲に位置している。この位置関係であれば、例えば、カバー２２の下端縁部と天板９との間から、原水容器２０へ注射器の針を差し込んでも、台座部９ａに突き当たる。この場合でも、悪意ある者による原水容器２０内への異物、毒物等を混入する等の行為を防止することができる。
【００４７】
なお、例えば、図７（ａ）〜（ｃ）に示すように、係合部であるアイボルト３３の環状部３３ａが前後方向に開口する状態で、その環状部３３ａに南京錠４０のフック部４０ａを係合するようにしてもよい。
【００４８】
このとき、カバー２２の貫通孔３１のスリット３２に南京錠４０のフック部４０ａを挿通して、アイボルト３３の環状部３３ａに係合すればよい。このような係合であっても、図６（ａ）〜（ｃ）に示す係合状態と同様に、容器ホルダ３に載置される原水容器２０がカバー２２により覆われる状態で保持され、筐体２からのカバー２２の取り外しができなくなる。
【符号の説明】
【００４９】
１  ウォーターサーバー
２  筐体
３  容器ホルダ
４  冷水タンク
５  原水導入管
６  冷却装置
７  冷水注出管
７ａ  水出口
８  筒部
９  天板
９ａ  台座部
９ｂ  係合穴部
９ｃ  爪部
１０  底板
１１  側面板
１２  前面板
１３  後面板
１４  注出凹部
１６  上扉
１６ａ  ヒンジ部
２０  原水容器
２０ａ  水出口
２１  フロートバルブ
２２  カバー
２６  コック
３０  係止爪部
３１  貫通孔
３２  スリット
３３  アイボルト
３３ａ  環状部
３３ｂ  ねじ軸部
４０  南京錠
４０ａ  フック部
【図１】
2019210011.tif 000003
【図２】
2019210011.tif 000004
【図３】
2019210011.tif 000005
【図４】
2019210011.tif 000006
【図５】
2019210011.tif 000007
【図６】
2019210011.tif 000008
【図７】
2019210011.tif 000009